(57)【要約】【課題】冷却された空気や加熱された空気が、暖められたり冷却されたりすることを最小限に抑えることができる自動販売機の冷却加温装置を提供する。【解決手段】蒸発器６で冷却された空気やヒータ７で加熱された空気を手前側および上方に導くダクト３０を庫内５に設け、このダクト３０を、内箱４の底面部４ａ内壁面や内箱の側面部下部および仕切壁から所定空間だけ離間させた姿勢で配設した。これにより、内箱４の底面部４ａにおける内壁面と外壁面とでの温度差、内箱４の側面部下部における内壁面と外壁面とでの温度差などが減少し、温度勾配が小さくなって、比較的熱が伝達され難い状態となる。したがって、ダクト３０を通る冷気や加熱された空気が、温められたり冷却されたりすることが最小限に抑えられながら、庫内５で循環されるため、熱効率が良好となり、省エネルギーとなって電気代が抑えられる。【選択図】    図１
2004162960.tif 000002
【特許請求の範囲】
【請求項１】
自動販売機本体における断熱構造の内箱内である庫内に、蒸発器で冷却された空気やヒータで加熱された空気を所定方向に導くダクトを設け、このダクトを、内箱の底面部内壁面から所定空間だけ離間させた姿勢で配設したことを特徴とする自動販売機の冷却加温装置。
【請求項２】
ダクトが内箱の側面部下部および仕切壁からも所定空間だけ離間させた姿勢で配設したことを特徴とする請求項１に記載の自動販売機の冷却加温装置。
【請求項３】
蒸発器の冷媒通路がダクトの空気導入口下面よりも上方の位置に配設されていることを特徴とする請求項１または２に記載の自動販売機の冷却加温装置。
【請求項４】
ダクト内の通路を上下２段に分割し、ダクト内の上部空間には蒸発器で冷却された空気やヒータで加熱された空気を導き、ダクト内の下部空間には冷却されたり加熱されたりしていない空気を導き、ダクト内の下部空間からの空気が、内箱からの商品排出口に配設された開閉フラッパに当たるように構成したことを特徴とする請求項１または２に記載の自動販売機の冷却加温装置。
【請求項５】
内箱の内壁面における底面部と側面部との境界部、および底面部と背面下部との境界部の少なくとも一方に、底面部からの熱の伝達を減少させるためのスリットまたは孔部が形成されていることを特徴とする請求項１〜４の何れかに記載の自動販売機の冷却加温装置。
【発明の詳細な説明】
【０００１】
【発明の属する技術分野】
本発明は自動販売機の冷却加温装置に関するものである。
【０００２】
【従来の技術】
冷却した商品（いわゆるコールド商品）や加温した商品（いわゆるホット商品）を販売する自動販売機においては、図６に示すように、前面扉１を開閉自在に支持する自動販売機本体２における中央部から上部にかけて、商品３を収納する断熱構造の内箱４が設けられ、内箱４内空間である庫内５を、冷凍サイクルの蒸発器６により冷却したり、ヒータ７により加熱したりするようになっている。なお、１５は商品３が収納される収納コラム、２５はヒータ７が収納されているヒータユニット、２６は収納コラム１５から払い出された商品３を商品取出口２７側に案内するシュートで、このシュート２６には多数の通気孔（図示せず）が形成されている。また、２０は内箱４の前面の開口部を開閉する内扉、２１は内扉における下端部に設けられた開閉フラッパ（断熱開閉扉）である。
【０００３】
冷凍サイクルは、多数のフィンを冷媒通路６ａが横方向に貫通して設けられ、冷媒が冷媒通路６ａを通過する際に蒸発して外部を冷却する蒸発器６と、冷媒を圧縮する圧縮機８と、冷媒を凝縮する凝縮器９と、キャピラリーチューブ１０などが接続されて構成されている。また、自動販売機本体２の下部は、自動販売機の外部との空気の流通があって断熱構造とはなっていない庫外１１空間とされ、この庫外１１に圧縮機８、凝縮器９、凝縮器用送風ファン１２などが配設されている。また、キャピラリーチューブ１０は、庫外１１から庫内５へ断熱構造部分を貫通して配設されている。
【０００４】
庫内５の下部には、蒸発器６やヒータユニット２５の他に、庫内５の空気を上部側から導入する導入ダクト１３や、蒸発器６で冷却されたりヒータ７で加温されたりする空気を送る送風ファン１４なども配設されている（例えば、特許文献１）。
【０００５】
冷却時においては、圧縮機８の圧縮動作や凝縮器９の排熱動作により、自動販売機本体２の下部の庫外１１空間は特に高温となる。
また、上記自動販売機においては、上下に延びるように配設された仕切壁により庫内５が複数の断熱空間に分けられ、各断熱空間毎に、冷却または加温できるように構成されているものがある。この種の自動販売機では、隣接する断熱空間同士が冷却状態と加温状態との異なる状態である場合がある。
【０００６】
【特許文献１】
特開２０００−９９８１６号公報の図１、図２
【０００７】
【発明が解決しようとする課題】
しかしながら、このような従来構成の自動販売機において、冷却時では、蒸発器６により冷却されて最も低温となった空気が送風ファン１４により、内箱４の底面部４ａにおける内壁面や仕切壁面および内箱４の側面部下部に沿うようにして送られ、この際、内箱４の底面部４ａにおける外壁面は、外気が流通する庫外１１に面しているとともに圧縮機８の圧縮動作や凝縮器９にも臨んでいるため高温となっている。すなわち、内箱４の底面部４ａにおける内壁面と外壁面とでは、非常に大きな温度差があるため、これらの間には断熱材が介装されているものの、温度勾配が高くなって、比較的熱が伝達され易い状態となる。この結果、送風ファン１４で送り出された冷気が内箱４の底面部４ａにおける内壁面近傍やこの内壁面に続く側面下部内壁を通過する際に暖められやすくなり、熱効率が悪くなるという課題を生じていた。
【０００８】
また、暖房時においても、ヒータ７により加熱されて最も高温となった空気が空気が送風ファン１４により、内箱４の底面部４ａにおける内壁面に沿うようにして送られ、この際、内箱４の底面部４ａにおける外壁面では、外気が流通する庫外１１に面しているため、低温となっている。すなわち、内箱４の底面部４ａにおける内壁面と外壁面とでは、非常に大きな温度差がある（特に、冬季などの低温時には温度差が大きくなる）ため、これらの間には断熱材が介装されているものの、温度勾配が高くなって、比較的熱が伝達され易い状態となる。この結果、送風ファン１４で送り出された高温の空気が内箱４の底面部４ａにおける内壁面近傍やこの内壁面に続く側面下部内壁を通過する際に冷却されやすくなり、熱効率が悪くなるという課題を生じていた。
【０００９】
また、仕切壁を介して隣接する庫内５の温度設定が冷却と加温である場合にも大きな温度差を生じているため、仕切壁は断熱性を有する材料で構成されているものの、前記内箱４の底面部４ａと同じように仕切壁近傍を通過する空気は冷却または加温され易くなり、熱効率が悪くなる課題があった。
【００１０】
さらに、暖房時において、ヒータ７からの輻射熱が内箱４の底面部４ａにおける内壁面に直接当たって、この底面部４ａの内壁面の温度が上昇し、底面部４ａを通して外部に熱が逃げ易くなって、熱効率が悪くなる課題もあった。
【００１１】
本発明は上記課題を解決するもので、冷却された空気や加熱された空気が、暖められたり冷却されたりすることを最小限に抑えることができ、また外部に熱が逃げることを防止することができる自動販売機の冷却加温装置を提供することを目的とするものである。
【００１２】
【課題を解決するための手段】
上記課題を解決するために本発明の請求項１記載の自動販売機の冷却加温装置は、自動販売機本体における断熱構造の内箱内である庫内に、蒸発器で冷却された空気やヒータで加熱された空気を所定方向に導くダクトを設け、このダクトを、内箱の底面部内壁面から所定空間だけ離間させた姿勢で配設したことを特徴とする。
【００１３】
この構成によれば、送風ファンにより送られた空気がダクトにより所定方向に導かれながら循環することとなる。この場合に、ダクトは、内箱の底面部内壁面から所定空間だけ離間させた姿勢で配設されているので、ダクトと内箱の底面部との間に空気の断熱層が形成されることとなり、内箱の底面部内壁面に接している空気は、ダクトにより送られている冷却された空気または加熱された空気よりも、高温または低温に維持される。この結果、内箱の底面部における内壁面と外壁面とでの、温度差が減少し、温度勾配が小さくなって、比較的熱が伝達され難い状態となる。したがって、ダクトを通る冷気や加熱された空気が、温められたり冷却されたりすることが最小限に抑えられながら、庫内で循環されるため、熱効率が良好となる。また、ヒータによる加熱時に、ヒータからの輻射熱がダクトにより受け止められ、ダクトを通過する空気により熱を回収することができ、内箱の底面部にヒータからの輻射熱が直接当たることを防止できる。
【００１４】
請求項２記載の発明は、請求項１に記載の自動販売機の冷却加温装置において、ダクトが内箱の側面部下部および仕切壁からも所定空間だけ離間させた姿勢で配設したことを特徴とする。
【００１５】
この構成によれば、ダクトは、内箱の底面部内壁面だけでなく、内箱の側面部下部および仕切壁からも所定空間だけ離間させた姿勢で配設されているので、ダクトを通る冷気や加熱された空気が、内箱の側面部下部や仕切壁で温められたり冷却されたりすることが最小限に抑えられ、熱効率が良好となる。
【００１６】
請求項３記載の発明は、請求項１または２に記載の自動販売機の冷却加温装置において、蒸発器の冷媒通路がダクトの空気導入口下面よりも上方の位置に配設されていることを特徴とする。
【００１７】
この構成により、蒸発器の冷媒通路により冷却された空気が、ダクトの空気導入口下面よりも下方に排出され難くなるので、ダクトと内箱の底面部との間の空気断熱層の温度がダクト内の空気温度に近づいて熱効率が低下することが防止される。
【００１８】
請求項４記載の発明は、請求項１または２に記載の自動販売機の冷却加温装置において、ダクト内の通路を上下２段に分割し、ダクト内の上部空間には蒸発器で冷却された空気やヒータで加熱された空気を導き、ダクト内の下部空間には冷却されたり加熱されたりしていない空気を導き、ダクト内の下部空間からの空気が、内箱からの商品排出口に配設された開閉フラッパに当たるように構成したことを特徴とする。
【００１９】
この構成により、ダクト内の上部空間を通る冷気や加熱された空気が、ダクト内の下部空間から開閉フラッパの箇所を通る空気によって遮られて、開閉フラッパの箇所で温められたり冷却されたりすることがなくなり、熱効率が良好となる。
【００２０】
請求項５記載の発明は、請求項１〜４の何れかに記載の自動販売機の冷却加温装置において、内箱の内壁面における底面部と側面部との境界部、および底面部と背面下部との境界部の少なくとも一方に、底面部からの熱の伝達を減少させるためのスリットまたは孔部が形成されていることを特徴とする。
【００２１】
この構成により、境界部に設けられたスリットまたは孔部により、スリットまたは孔部が設けられている箇所での熱が伝達する箇所の断面積が小さくなるとともに、スリットまたは孔部を互い違いに複数列設けることで熱が伝達する経路の長さを長くすることができるため、底面部の熱が側面部や背面部に伝達され難くなり、この結果、底面部から側面部や背面部への熱の移動を減少させることができる。
【００２２】
【発明の実施の形態】
以下、本発明の実施の形態にかかる自動販売機の冷却加温装置を図面に基づき説明する。なお、従来の自動販売機と同様な機能の構成要素には同符号を付して、その説明は省略する。
【００２３】
図１に示すように、この自動販売機においても、自動販売機本体２における断熱構造の内箱４内である庫内５の下部に、庫内５の上部側から空気を導入する導入ダクト１３と、導入ダクト１３からの空気を手前側に送る送風ファン１４と、空気を冷却する蒸発器６と、空気を加熱するヒータ７とが配設されている。しかしながら、従来構成と異なり、この発明においては、ヒータ７を覆うヒータユニットカバーがダクト３０により構成され、このダクト３０が、ヒータ７を覆うだけでなく、蒸発器６で冷却された空気やヒータ７で加熱された空気を手前側および上方側に導くように構成されている。そしてこのダクト３０が、内箱４の底面部４ａ内壁面および側面部下部から所定空間だけ離間させた姿勢で配設されている。
【００２４】
また、蒸発器６の冷媒通路６ａは全て、ダクト３０の空気導入口３０ａ下面よりも上方の位置に配設されており、蒸発器６の冷媒通路６ａにより冷却された空気は、殆どダクト３０内に導入されるようになっている。
【００２５】
また、ダクト３０の手前側先端部は、シュート２６の手前側端部に臨む開閉フラッパ２１が設けられている箇所よりも奥側に所定距離をあけた箇所（例えば、手前側の収納コラム１５の手前下端部を通る、シュート２６底面に直交するラインＬ１との交点Ａよりも奥側の箇所）までしか延設されておらず、ダクト３０から排出される空気が、開閉フラッパ２１にあまり当たらないように図られている。
【００２６】
なお、ダクト３０の排気口３０ｂは、シュート２６の底面に沿うように、奥側ほど上方となる傾斜形状に開口され、ダクト３０から排出された空気が手前側だけでなく上方側に導かれるように図られている。さらに、この実施の形態においては、空気が上方側により積極的に排出されるように、ダクト３０の下面が手前側ほど上方となるように少しだけ傾斜されているが、これに限るものではなく、全て水平となるように形成させておいてもよい。また、ダクト３０の幅は、蒸発器６の幅と同等または蒸発器６の幅よりも広幅とされている。
【００２７】
図２に示すように、内箱４の下部には、内箱４の内面における底面部４ａと両側面部下部４ｂと背面下部４ｃとをなす鉄板などからなる金属板３２が配設され、この金属板３２上に、上述した蒸発器６やヒータ７、送風ファン１４などが取り付けられているが、この金属板３２における、底面部４ａと両側面部下部４ｂとの境界部、および底面部４ａと背面下部４ｃとの境界部には、それぞれ多数のスリット３１が形成されている。そして、これらのスリット３１により底面部４ａからの熱が両側面部下部４ｂや背面下部４ｃに伝達され難いように図られている。
【００２８】
この構成において、庫内５の空気は、庫内５背面に沿って配置された導入ダクト１３から吸引された後、庫内５背面寄り下端の送風ファン１４により手前側に送られ、冷却時には蒸発器６により冷却され、また、加温時にはヒータ７により加熱される。そして、この冷却もしくは加熱された空気がダクト３０から手前側およびおよび上方側に導かれて、収納コラム１５に収納された商品３を冷却もしくは加温する。
【００２９】
この場合に、ダクト３０は、内箱４の底面部４ａ内壁面および側面部下部から所定空間だけ離間させた姿勢で配設されているので、ダクト３０と内箱４の底面部４ａおよび側面部下部との間に空気の断熱層が形成されることとなり、内箱の底面部４ａ内壁面や側面部下部に接している空気は、ダクト３０により送られている冷却された空気または加熱された空気よりも、高温または低温に維持される。
【００３０】
この結果、ダクト３０を内箱４の底面部４ａや側面部下部に密着させて配設した場合と比べて、内箱４の底面部４ａにおける内壁面と、庫外１１に臨む外壁面との間の温度差、ならびに、内箱４の側面部下部における内壁面と自動販売機の外側面との間の温度差がそれぞれ減少し、温度勾配が小さくなって、内箱４の底面部４ａや自動販売機の外側面からの熱が比較的伝達され難い状態となる。したがって、ダクト３０を通る冷気や加熱された空気が、温められたり冷却されたりすることが最小限に抑えられながら、庫内で循環されるため、熱効率が良好となり、省エネルギーとなって電気代が抑えられる。
【００３１】
また、蒸発器６の冷媒通路６ａがダクト３０の空気導入口３０ａ下面よりも上方の位置に配設されているので、蒸発器６の冷媒通路６ａにより冷却された空気が、ダクト３０の空気導入口下面よりも下方に排出され難くなり、ダクト３０と内箱４の底面部４ａとの間の空気断熱層の温度がダクト３０内の空気温度に近づいて熱効率が低下することが防止される。
【００３２】
さらに、ダクト３０の手前側先端部が、シュート２６の手前側端部に臨む開閉フラッパ２１が設けられている箇所よりも奥側に所定距離をあけた箇所までしか延設されておらず、ダクト３０から排出される空気が、開閉フラッパ２１にあまり当たらないように図られているので、開閉フラッパ２１の箇所においても外側と内側との温度差が小さめに抑えられて、温度勾配が小さくなり、開閉フラッパ２１を通して外側からの熱が比較的伝達され難くなり、これによっても省エネルギーとなって電気代が抑えられる。
【００３３】
また、内箱４の下部内壁面を構成する、底面部４ａと両側面部下部４ｂとの境界部、および底面部４ａと背面下部４ｃとの境界部に、それぞれ多数のスリット３１が形成されているため、スリット３１が設けられている箇所での熱が伝達する箇所の断面積が小さくなるとともに、スリット３１を互い違いに複数列設けることで熱が伝達する経路の長さを長くすることができるため、底面部４ａの熱が両側面部下部４ｂや背面下部４ｃに伝達され難くなり、この結果、商品３が収納されている収納コラム１５に近い、両側面部下部４ｂや背面下部４ｃに臨む箇所の冷却空気または加温空気が、温められたり冷却されたりして熱効率が低下することを防止できる。
【００３４】
なお、図２において仮想線で示すように、内箱４の下部内壁面を構成する、底面部４ａと前面部４ｄとの境界部や、左右の収納コラム１５を仕切る仕切壁配設箇所の底面部近傍などにもスリット３１を形成するように構成してもよい。また、ダクト３０を仕切壁からも所定空間だけ離間させた姿勢で配設させてもよく、これによっても、仕切壁の箇所においても隣接する箇所の温度差が小さめに抑えられて、熱が伝達され難くなって省エネルギーとなる。
【００３５】
図３は本発明の他の実施の形態に係る自動販売機の冷却加温装置を示すもので、この実施の形態では、図３に示すように、ダクト３０の奥側上部が斜め後方に延長され、この箇所から排出された空気が、奥側の収納コラム１５’の下端部に向けて送り出されるようになっている。より具体的には、ダクト３０の奥側上端部が、奥側の収納コラム１５’の下端部中央を通る、シュート２６底面に直交するラインＬ２との交点Ｂよりも奥側の箇所まで延長されている。
【００３６】
この構成によれば、ダクト３０から送り出される空気が奥側の収納コラム１５’の下端部にも良好に達するようになるので、収納コラム１５毎による商品３の温度差がなくなって、均等に冷却または加温され、信頼性が向上する。
【００３７】
なお、図４に示すように、ダクト３０の排気口３０ｂをシュート２６に結合するとともに、シュート２６の通気孔をダクト３０の排気口３０ｂに臨む箇所のみ設けてもよい。この場合には、送風ファン１４からの空気における、蒸発器６やヒータ７によって冷却されたり加温されたりしていない空気が、ダクト３０の下方空間を通して、内箱４の底面部４ａ内壁面近傍箇所に流れ込んでも、この空気がシュート２６から上方に流れ込まず、内箱４の底面部４ａ内壁面近傍箇所に滞留することとなるので、この構成によっても、内箱４の底面部４ａの温度差が小さめに抑えられて、熱が伝達され難くなって省エネルギーとなる。
【００３８】
さらに、図５は本発明の他の実施の形態にかかるもので、この実施の形態においては、ダクト３５内を上下にわける分割板３６が配設されているとともに、ダクト３５の下部先端が、開閉フラッパ２１近傍まで延設されている。そして、蒸発器６の冷媒通路６ａやヒータ７が上方寄りに配置され、蒸発器６の冷媒通路６ａやヒータ７によって冷却されたり加熱されたりした空気は、ダクト３５内の上部空間３５ａに流れ、ダクト３５内の下部空間３５ｂにはあまり冷却・加熱されていない空気が流れ込むようになっている。なお、この実施の形態においては、シュート２６の通気孔は、ダクト３５内の上部空間３５ａおよび下部空間３５ｂに臨む箇所に形成されている。また、ダクト３５の底面部におけるヒータ７より離れた点前側寄り箇所は内箱４の底面部４ａ内壁面から所定空間だけ離間させた姿勢で配設されている。
【００３９】
この構成によれば、ダクト３５内の下部空間３５ｂを通った、あまり冷却・加熱されていない空気が開閉フラッパ２１に沿いながら流れる。したがって、ダクト３５内の上部空間３５ａを通った冷却・加熱されている空気が、開閉フラッパ２１に沿ってエアーカーテンのように流れるあまり冷却・加熱されていない空気により遮られて、開閉フラッパ２１に当たることなく、上方に流れる。
【００４０】
この結果、開閉フラッパ２１における外側と内側との温度差がさらに小さめに抑えられて、温度勾配が小さくなり、開閉フラッパ２１を通して外側からの熱が比較的伝達され難くなり、一層省エネルギーとなって電気代が抑えられる。
【００４１】
なお、上記何れの実施の形態においても、ダクト３０をヒータ７のカバーとしても兼用する場合を述べたが、これに限るものではなく、ヒータ７のカバーとは別途にダクト３０を設けるようにしてもよい。また、上記実施の形態では、庫内５の奥側から、導入ダクト１３、送風ファン１４、蒸発器６、ヒータ７、ダクト３０の順序で配置している場合を述べたが、これに限るものではなく、送風ファン１４を蒸発器６やヒータ７よりも手前側に配置したものなどにも適用できることはもちろんである。
【００４２】
また、上記実施の形態においては、内箱４の下部内壁面を構成する、底面部４ａと両側面部下部４ｂとの境界部、および底面部４ａと背面下部４ｃとの境界部に、それぞれ多数のスリット３１を形成した場合を述べたが、スリット３１に代えて、丸孔や角孔などの孔部を設けてもよい。
【００４３】
【発明の効果】
以上のように本発明によれば、蒸発器で冷却された空気やヒータで加熱された空気を所定方向に導くダクトを庫内に設け、このダクトを、内箱の底面部内壁面から所定空間だけ離間させた姿勢で配設したことにより、内箱の底面部における内壁面と外壁面とでの温度差が減少し、温度勾配が小さくなって、比較的熱が伝達され難い状態となる。したがって、ダクトを通る冷気や加熱された空気が、温められたり冷却されたりすることが最小限に抑えられながら、庫内で循環されるため、熱効率が良好となり、省エネルギーとなって電気代が抑えられる。
【００４４】
また、ダクトが内箱の側面部下部および仕切壁からも所定空間だけ離間させた姿勢で配設することにより、ダクトを通る冷気や加熱された空気が、内箱の側面部下部や仕切壁で温められたり冷却されたりすることも抑えられ、熱効率がさらに良好となる。
【００４５】
また、蒸発器の冷媒通路をダクトの空気導入口下面よりも上方の位置に配設させたことにより、ダクトと内箱の底面部との間の空気断熱層の温度がダクト内の空気温度に近づいて熱効率が低下することが防止される。
【００４６】
また、ダクト内の通路を上下２段に分割され、ダクト内の上部空間には蒸発器で冷却された空気やヒータで加熱された空気を導き、ダクト内の下部空間から排出される冷却されたり加熱されたりしていない空気を開閉フラッパに当たるように構成することにより、ダクト内の上部空間を通る冷気や加熱された空気が、ダクト内の下部空間から開閉フラッパの箇所を通る空気によって遮られて、開閉フラッパの箇所で温められたり冷却されたりすることがなくなり、熱効率が良好となる。
【００４７】
さらに、内箱の内壁面における底面部と側面部との境界部、および底面部と背面下部との境界部の少なくとも一方に、底面部からの熱の伝達を減少させるためのスリットまたは孔部を形成することにより、庫内の底面部の熱が側面部や背面部に伝達され難くなり、この結果、商品収納箇所に近い、側面部や背面部に臨む箇所の冷却空気または加温空気が、温められたり冷却されたりして熱効率が低下することを防止できる。
【図面の簡単な説明】
【図１】本発明の実施の形態にかかる自動販売機の断面図である。
【図２】同自動販売機における内箱の下部を構成する金属板の斜視図である。
【図３】本発明の他の実施の形態にかかる自動販売機の断面図である。
【図４】本発明のその他の実施の形態にかかる自動販売機の断面図である。
【図５】本発明のさらに他の実施の形態にかかる自動販売機の断面図である。
【図６】従来の自動販売機の断面図である。
【符号の説明】
２        自動販売機本体
３        商品
４        内箱
４ａ      底面部
４ｂ      側面部下部
４ｃ      背面下部
５        庫内
６        蒸発器
６ａ      冷媒通路
７        ヒータ
１４      送風ファン
２１      開閉フラッパ
２６      シュート
３０、３５      ダクト
３０ａ    空気導入口
３６      分割板
【図１】
2004162960.tif 000003
【図２】
2004162960.tif 000004
【図３】
2004162960.tif 000005
【図４】
2004162960.tif 000006
【図５】
2004162960.tif 000007
【図６】
2004162960.tif 000008